(57)【特許請求の範囲】
【請求項１】
少なくともリム通水路を有する便器本体と、該便器本体の後部に保持された便器洗浄装置とを備え、該便器洗浄装置は、便器洗浄タンクを有さず、トイレ室の壁等に設置された給水管から供給される水を少なくとも該リム通水路に導いて該便器本体の洗浄を行うタンクレス便器において、
前記便器本体の後部には分岐給水装置が取り付けられており、該分岐給水装置は、前記給水管と１本の接続管を介して接続される単一の入水路と、該入水路と連通し、前記便器洗浄装置に接続される主出水路と、該入水路と連通し、開状態で人体の局部を水で洗浄可能な局部洗浄装置に接続可能なように開閉可能な副出水路とを有することを特徴とするタンクレス便器。
【請求項２】
分岐給水装置における副出水路は、第１副出水路と、該第１副出水路と連通される第２副出水路とを有し、
該第１副出水路の出水ポートは、備え付けの局部洗浄装置と後付けされる局部洗浄装置とで共通していることを特徴とする請求項１記載のタンクレス便器。
【請求項３】
分岐給水装置における第２副出水路の出水ポートには、局部洗浄装置が便器本体に搭載されない場合には、栓部材が脱着可能に嵌められることを特徴とする請求項２記載のタンクレス便器。
【請求項４】
分岐給水装置における第２副出水路の出水ポートには、さらに封止キャップが一体的に着脱可能に取り付けられることを特徴とする請求項３記載のタンクレス便器。
【請求項５】
分岐給水装置の第２副出水路は回転又は揺動可能であることを特徴とする請求項２乃至４のいずれか１項記載のタンクレス便器。
【発明の詳細な説明】
【０００１】
【発明の属する技術分野】
本発明は、リム通水路をもつ便器本体を備えたタンクレス便器に関する。
【０００２】
【従来の技術】
一般的な水洗式便器では、水道管等の給水管から供給される水をロータンク等の便器洗浄タンクに一旦貯留し、その便器洗浄タンクに貯留した水により便器本体の洗浄を行う。しかし、かかる一般的な水洗式便器では、便器洗浄タンクの設置スペースが必要とされる。このため、近年、スペースの有効活用等の観点から、便器洗浄タンクを廃止し、給水管から供給される水をリム通水路等の流路に直に導いて便器本体の洗浄を行う便器洗浄装置を便器本体に一体に備えたタンクレス便器が開発されつつある（特開平３−９０７２３号公報）。
【０００３】
かかるタンクレス便器に採用されている便器洗浄装置は、トイレ室の壁等に設置された給水管に接続管を介して接続される入水ポートと、リム通水路に接続され、水をリム通水路に吐き出して便器本体の洗浄を行う出水ポートと、入水ポートと出水ポートとの連通を開閉可能な弁手段とを有している。
また、タンクレス便器では、その便器洗浄装置の他、人体の局部を洗浄可能な局部洗浄装置等の機器が搭載されることがある。この場合には、便器洗浄装置を介して便器本体のリム通水路に給水する必要がある他、局部洗浄装置等の機器にも給水する必要がある。そこで、給水管に取り付けられた止水栓のポートと便器洗浄装置の入水ポートとを第１の接続管を介して接続すると共に、その接続管の途中部位に分岐栓を取り付け、局部洗浄装置等の機器と分岐栓とを第２の接続管を介して接続することとなる。すなわち、給水管とタンクレス便器との間には複数本の接続管が配置されることとなる。
【０００４】
【発明が解決しようとする課題】
しかし、上記タンクレス便器では、便器洗浄装置の他に局部洗浄装置等の機器を搭載する場合、給水管との間に複数本の接続管が配置されることとなるため、それら複数本の接続管がトイレ室内に露出し、設置スペースを要するばかりか、見栄えも低下する。
【０００５】
本発明は、上記した実情に鑑みてなされたものであり、設置スペースの削減及び見栄えの確保に有利なタンクレス便器を提供することを解決すべき課題としている。
【０００６】
【課題を解決するための手段】
本発明のタンクレス便器は、少なくともリム通水路を有する便器本体と、該便器本体の後部に保持された便器洗浄装置とを備え、該便器洗浄装置は、便器洗浄タンクを有さず、トイレ室の壁等に設置された給水管から供給される水を少なくとも該リム通水路に導いて該便器本体の洗浄を行うタンクレス便器において、
前記便器本体の後部には分岐給水装置が取り付けられており、該分岐給水装置は、前記給水管と１本の接続管を介して接続される単一の入水路と、該入水路と連通し、前記便器洗浄装置に接続される主出水路と、該入水路と連通し、開状態で人体の局部を水で洗浄可能な局部洗浄装置に接続可能なように開閉可能な副出水路とを有することを特徴とする。
【０００７】
本発明のタンクレス便器は便器本体の後部に便器洗浄装置及び分岐給水装置を備えている。この分岐給水装置では、単一の入水路に１本の接続管を介して給水管が接続され、入水路に給水管から水が供給される。その入水路は主出水路及び副出水路と連通しており、主出水路は便器洗浄装置に接続され、副出水路は開閉可能である。このため、分岐給水装置に供給された水は、主出水路から便器洗浄装置を介して便器本体のリム通水路に供給される。また、副出水路は必要がなければ閉鎖状態としておき、必要があれば開放状態とし、リム通水路以外の経路に給水のために接続される。特に、分岐給水装置の副出水路は開状態で人体の局部を水で洗浄可能な局部洗浄装置等に接続可能である。なお、単位時間当たりに流れる水量は、主出水路が副出水路よりも大きくなるようにされ得る。
【０００８】
こうして、このタンクレス便器では、便器洗浄装置の他に局部洗浄装置等の機器を搭載する場合でも、給水管との間には１本の接続管が配置されるだけであり、その１本の接続管がトイレ室内に露出し、設置スペースを要さず、見栄えも向上する。
したがって、本発明のタンクレス便器は、設置スペースの削減及び見栄えの確保に有利である。
【００１０】
局部洗浄装置は、タンクレス便器のトイレ室への据え付けと共に取り付けられる備え付けのタイプと、タンクレス便器がトイレ室へ据え付けられた後にタンクレス便器に後付けされるタイプとがある。前者の場合には、局部洗浄装置は、タンクレス便器の販売時にタンクレス便器に一体に搭載されている。後者の場合には、タンクレス便器の販売時に局部洗浄装置はタンクレス便器に一体に搭載されておらず、タンクレス便器のトイレ室への据え付け後に便器本体に取り付けられる。
【００１１】
本発明のタンクレス便器の好ましい形態によれば、分岐給水装置における副出水路は、第１副出水路と、この第１副出水路と連通される第２副出水路とを有し得る。そして、分岐給水装置における第１副出水路の出水ポートは、備え付けの局部洗浄装置と、後付けされる局部洗浄装置とで共通している構成を採用することができる。こうであれば、分岐給水装置における第１副出水路は、備え付けタイプの局部洗浄装置にも接続可能であり、後付けされるタイプの局部洗浄装置にも接続可能であり、汎用性を高め得る。
本発明のタンクレス便器の好ましい形態によれば、分岐給水装置の第２副出水路は、位置調整可能となるように、回転又は揺動可能である構成を採用することができる。こうであれば、第２副出水路を接続する機器の位置に応じて第２副出水路を回転又は揺動させ、第２副出水路を位置調整することができるため、第２副出水路と機器との接続が容易となる。第２副出水路は、水平方向に沿って回転又は揺動する形態でも良いし、便器本体の高さ方向に沿って、また斜め方向に沿って回転又は揺動する形態でも良い。このような第２副出水路は、主出水路に対して回転可能な又は揺動可能な管体で構成することもできる。
【００１２】
【発明の実施の形態】
以下、本発明を具体化した実施形態について図面を参照しつつ説明する。
実施形態のタンクレス便器は便器洗浄タンクを有さない水洗式便器であり、図１及び図２に示すように、便器本体１と、便器本体１の後部に配置された便器洗浄装置４とを備えている。便器本体１は、排泄物を受けるボウル部１０をもつ便鉢１１、ボウル部１０の上部周縁に巡らされたリム通水路１２を有するリム１３とを備えている。ボウル部１０の底には排泄物を流すトラップ部の入口にジェットノズル１５が取り付けられている。なお、便座及び便蓋の図示は省略されている。
【００１３】
図１に示すように、便器洗浄装置４は、便器本体１の後端に固定されたベースプレート４１に保持されており、ベースプレート４１の他の片側に保持された弁手段５と、弁手段５を開閉させる駆動装置９と、図示しないコントローラとを備えている。便器洗浄装置４の主要部はカバー４２により隠蔽されている。
図３に示すように、弁手段５は、ジェットノズル１５への給水・給水停止を行うジェット用の第１開閉弁５１と、リム通水路１２への給水・給水停止を行うリム用の第２開閉弁５２とを一体的に並設して組み付けて形成されている。
【００１４】
ジェット用の第１開閉弁５１は、ピストン室６０をもつハウジング部６１と、ハウジング部６１内に水を取り込む第１入水ポート６２と、水を吐き出す第１出水ポート６３と、ピストン室６０に摺動可能に保持されたピストン６４とを有している。第１入水ポート６２及び第１出水ポート６３はピストン室６０に連通している。ピストン６４の外周部のリング溝にはＯリング６４ａが保持されており、ピストン６４の外周部とハウジング部６１の内壁面との境界域をシールしている。また、ピストン室６０内にはハウジング部６１とピストン６４の他端面とにより圧力相殺室６５が形成されている。圧力相殺室６５はピストン６４に形成された複数本の連通孔６６を介して第１出水ポート６３側に連通している。圧力相殺室６５には、付勢手段としての押圧コイルバネ６７が同軸的に配置されている。押圧コイルバネ６７はハウジング部６１とピストン６４の他端面との間に介装され、ピストン６４を常時一方側、つまり矢印Ｙ１方向に付勢し、第１入水ポート６２と第１出水ポート６３との連通を閉じる方向に付勢力を有している。
【００１５】
ピストン６４の一端面にはピストン６４を軸方向で移動させ得るシャフト６８が同軸的に固定され、ハウジング部６１から一方向に向けてつまり矢印Ｙ１方向に向けて突出されている。シャフト６８とハウジング部６１との境界域はＯリング６９によりシールされている。
リム用の第２開閉弁５２は、ジェット用の第１開閉弁５１と基本的に同様の構成である。すなわち、リム用の第２開閉弁５２は、ピストン室６０をもつハウジング部６１と、ハウジング部６１内に水を取り込む第２入水ポート７２と、水を吐き出す第２出水ポート７３と、ピストン室６０に摺動可能に保持されたピストン６４とを有している。第２入水ポート７２及び第２出水ポート７３はピストン室６０に連通している。ピストン室６０内には圧力相殺室６５が形成されている。圧力相殺室６５には、付勢手段としての押圧コイルバネ６７が同軸的に配置されている。押圧コイルバネ６７はハウジング部６１とピストン６４の他端面との間に介装され、ピストン６４を常時一方側、つまり矢印Ｙ１方向に付勢し、第２入水ポート７２と第２出水ポート７３との連通を閉じる方向に付勢力を有している。
【００１６】
ジェット用の第１開閉弁５１の第１入水ポート６２と、リム用の第２開閉弁５２の第２入水ポート７２とは、ハウジング部６１に形成されたピストン室６０の周方向に沿ったリング状の中間連通路７５、連通路７６を介して互いに連通している。
図１に示すように、ジェット用の第１開閉弁５１には連結部材８０が接続され、連結部材８０の上端には、バキュームブレーカ８２が接続されている。他方、リム用の第２開閉弁５２にも連結部材８０が接続され、連結部材８０の上端にはバキュームブレーカ８２が接続されている。バキュームブレーカ８２は大気に連通しており、第１、２開閉弁５１、５２の開閉に伴う負圧化を抑え、負圧化に起因する水の逆流を防止するためのものである。
【００１７】
駆動装置９は第１、２開閉弁５１、５２を開閉させるものであり、第１、２開閉弁５１、５２の上方に配置されたカム装置９０と、カム装置９０を作動させるモータ装置９５とで形成されている。
カム装置９０は、第１、２開閉弁５１、５２に固定され、前方に向かって両端が突出しているブラケット９１と、このブラケット９１に便器本体１の幅方向に沿って水平状態で回転可能に保持された回転軸９２と、回転軸９２に固定された第１、２カム９３、９４とを備えている。
【００１８】
モータ装置９５は、モータとモータの回転速度を減速する変速ギアとを内蔵しており、コントローラの制御により回転軸９２を回転駆動できるようになっている。
駆動装置９には手動操作用のハンドル９６が取り付けられており、停電時等においてカム装置９０の回転軸９２を手動回転できるようになっている。
【００１９】
そして、便器本体１の後部における便器洗浄装置４と反対側には分岐給水装置２が取り付けられている。分岐給水装置２は、便器洗浄装置４の弁手段５への給水通路と、弁手段５以外の他の給水通路とに分岐するためのものである。図４及び図５に示すように、分岐給水装置２は、一側面に取付フランジ部２２をもつ主基部２１と、主基部２１の取付フランジ部２２に当てがわれた状態で複数個の取付ねじ２３により脱着可能に取り付けられる副基部２４とを備えている。なお、副基部２４と取付フランジ部２２との境界にはシール部材２２ｋが設けられている。
【００２０】
主基部２１は、便器本体１の外側に向けて指向する単一の入水路２５を形成する横方向に沿った入水管２６と、単一の入水路２５と背向するように便器本体１の内側に向けて指向する主出水路２７を形成する横方向に沿った主出水管２８と、入水路２５と主出水路２７との間に設けられた縦水路２９と、縦水路２９の下流側に繋がる第１副出水路３０とを有する。第１副出水路３０は、入水路２５と主出水路２７とを繋ぐ方向に対して交差する方向に向けて形成されており、取付フランジ部２２で開口する出水ポート３０ａを有している。入水路２５、主出水路２７、縦水路２９及び第１副出水路３０は互いに連通している。
【００２１】
また、図８に示すように、縦水路２９は入水路２５及び主出水路２７に連通しつつ縦方向に向けて形成されており、第１副出水路３０は縦水路２９に連通しつつ縦水路２９の端から横方向に向けて形成されている。主基部２１の下部２１ｄには、入水路２５と主出水路２７との間に浄化室３２が形成されており、浄化室３２には水浄化用の網部材であるストレーナ３３が保持されている。このため、入水路２５から供給された水はストレーナ３３で浄化され、浄化された水が主出水路２７及び第１副出水路３０に送られることとなる。
【００２２】
図４に示すように、分岐給水装置２の副基部２４は、主基部２１の取付フランジ部２２に脱着可能に取り付けられる箱部３５と、箱部３５の上部に水平方向に沿って回転可能つまり矢印Ｓ１、Ｓ２方向に回転可能に設けられ、回転に伴って位置調整可能なＬ字型をなす可動管体３６とを有する。また、図９に示すように、可動管体３６と箱部３５との間にはリング形状のシール部材３５ｗが介在されており、両者の間をシールしている。
【００２３】
図４に示すように、箱部３５は、主基部２１の第１副出水路３０の出水ポート３０ａに対面して連通する中間通路３７を有する。可動管体３６は、中間通路３７を介して主基部２１の第１副出水路３０に連通する第２副出水路３８を有する。
こうして、分岐給水装置２の副出水路は、主基部２１に形成された第１副出水路３０と、副基部２４に形成された回転可能な第２副出水路３８とで構成されている。
【００２４】
また、図２に示すように、トイレ室の壁に設けられた給水管１７０には止水栓１７２が取り付けられている。給水管１７０は、この止水栓１７２及び接続管であるフレキシブルホース１７４を介し、分岐給水装置２の単一の入水路２５に接続されている。そして、分岐給水装置２の主出水路２７は主導管１８を介して弁手段５のジェット用の第１開閉弁５１の第１入水ポート６２に接続されている。
【００２５】
こうして、分岐給水装置２の主出水路２７を経た水は主導管１８及び弁手段５を介し、便器本体１のリム通水路１２及びジェットノズル１５に供給される。
さて、かかるタンクレス便器には、図１０及び図１１に示すように、人体の局部を洗浄する機能をもつ局部洗浄装置が便器本体１に設けられ得る。かかる局部洗浄装置は、一般的に、ヒータを備えた温水タンクと、温水タンク内の水を局部に噴出するノズル部とを有する。タンクレス便器の形態としては、このような局部洗浄装置が搭載されない形態と、図１０に示すように、トイレ室に便器本体１が据え付けられた後に局部洗浄装置１００が後付けされる形態と、図１１に示すように、備え付け用の局部洗浄装置１１０が予め備え付けられている形態とがある。
【００２６】
局部洗浄装置が便器本体１に搭載されない場合には、図６に示す閉鎖用の栓部材１２０を用いる。栓部材１２０は、外周部に形成されたリング状のシール溝をもつ栓部１２１と、栓部１２１の半径方向にリング状に延設された止めフランジ部１２２と、シール溝に保持されたリング状のシール部材１２３とを有する。そして、図５に示すように、主基部２１に副基部２４が取り付けられた状態の分岐給水装置２において、第２副出水路３８の出水ポート３８ａに栓部材１２０を脱着可能に嵌めた状態とし、封止キャップ１２４を一体的に着脱可能に取り付ける。これにより、分岐給水装置２は、第２副出水路３８が閉鎖されて封水される。この場合には、分岐給水装置２で分岐された水は、第１副出水路３０を通過するものの、第２副出水路３８が栓部材１２０で閉鎖されているため、それ以上は流れない。そのため、分岐給水装置２に供給された水は主出水路２７のみに供給されることになる。
【００２７】
そして、図１０に示すように、後付け用の局部洗浄装置１００が便器本体１に搭載される場合、図７に示すように、中間接続管１３０を用いる。中間接続管１３０は、連結管体１３１と、可撓性をもつ連結ホース１３２とを備えている。連結ホース１３２の一端側は連結管体１３１に繋がり、他端側は後付け用の局部洗浄装置１００の温水タンクの給水部に繋がる。連結管体１３１は、軸長方向に貫通する通路１３３と、外周部に形成されたリング状のシール溝に保持されたシール部材１３４と、半径方向に延設された止めフランジ部１３５とを有する。
【００２８】
後付け用の局部洗浄装置１００が便器本体１に搭載される場合、図５に示す封止キャップ１２４及び栓部材１２０を第２副出水路３８から外した後、図１０に示すように、中間接続管１３０の連結管体１３１の先端部を分岐給水装置２の第２副出水路３８の出水ポート３８ａに脱着可能に嵌め、この状態で封止キャップ１２５を一体的に脱着可能に取り付ける。これにより、分岐給水装置２の第２副出水路３８を局部洗浄装置１００の温水タンクの給水部に接続する。このとき、分岐給水装置２の第２副出水路３８は水平方向に沿ってつまり矢印Ｓ１、Ｓ２方向に沿って回転可能であるため、第２副出水路３８を適宜回転させることにより第２副出水路３８の出水ポート３８ａを位置調整すれば、第２副出水路３８と後付け用の局部洗浄装置１００との接続作業が容易となる。この場合には、単一の入水路２５に供給された水は、主出水路２７及び主導管１８を経て弁手段５に送られる。また、分岐給水装置２に供給された水は、第１副出水路３０、第２副出水路３８、中間接続管１３０及び連結ホース１３２を経て、局部洗浄装置１００の温水タンクの給水部に供給される。なお、温水タンクが温水で満たされておれば、温水タンクへの給水は停止される。
【００２９】
なお、清掃等のため、人体局部洗浄装置１００を便器本体１から取り外す必要が生じた場合には、封止キャップ１２５及び中間接続管１３０の連結管体１３１を分岐給水装置２の第２副出水路３８の出水ポート３８ａから外し、前述した栓部材１２０及び封止キャップ１２４を第２副出水路３８の出水ポート３８ａに取り付け、第２副出水路３８を閉鎖して封水すれば良い。
【００３０】
また、備え付け用の局部洗浄装置１１０が便器本体１に予め備え付けられている場合には、図４及び図５に示す副基部２４に代え、図１１に示すように、第２副基部１４０が取付ねじ２３により分岐給水装置２の主基部２１の取付フランジ部２２に脱着可能に取り付けられている。第２副基部１４０と取付フランジ部２２との境界にはシール部材２２ｋが設けられている。第２副基部１４０には電磁弁１４０ｍが搭載されている。
【００３１】
第２副基部１４０は第３副出水路１４２を有する。第３副出水路１４２は、備え付け用の局部洗浄装置１１０の温水タンクの給水部に中間接続管１３０を介して繋がる。この場合には、単一の入水路２５に供給された水は、主出水路２７及び主導管１８を経て弁手段５に送られる。また、第２副基部１４０の電磁弁１４０ｍが開弁すると、分岐給水装置２に供給された水は、第１副出水路３０、第３副出水路１４２及び中間接続管１３０を介し、局部洗浄装置１１０の温水タンクの給水部に供給される。電磁弁１４０ｍが閉弁すると、第１副出水路３０及び第３副出水路１４２を経ての温水タンクへの給水は停止される。
【００３２】
本実施形態においては、分岐給水装置２における第１副出水路３０の出水ポート３０ａは、図１０に示すように、後付けされる局部洗浄装置１００にも使用することができるとともに、図１１に示すように、備え付けの局部洗浄装置１１０にも使用することができる。つまり、出水ポート３０ａは、備え付けの局部洗浄装置１１０及び後付けされる局部洗浄装置１００の双方に共通している。
【００３３】
上記のように構成された便器洗浄装置４では、ボウル部１０の洗浄を行おうとする使用者のスイッチ操作がない限り、第１、２開閉弁５１、５２が閉弁している。このため、給水管１７０の水はリム通水路１２及びジェットノズル１５には供給されない。すなわち、図３によれば、第１、２開閉弁５１、５２のピストン６４がハウジング部６１の座面６１ｃに着座しており、第１入水ポート６２と第１出水ポート６３との連通が遮断されていると共に、第２入水ポート７２と第２出水ポート７３との連通が遮断されている。
【００３４】
ボウル部１０の洗浄を行うときには、使用者のスイッチ操作に基づいて、コントローラの信号によりモータ装置９５が駆動し、カム装置９０の回転軸９２が回転駆動される。これにより、第２カム９４のカム面がリム用の第２開閉弁５２のシャフト６８を他方向つまり矢印Ｙ２方向（図３参照）に押圧すると、押圧コイルバネ６７が弾性収縮し、ピストン６４は矢印Ｙ２方向に移動する。これによりリム用の第２開閉弁５２のピストン６４はハウジング部６１の座面６１ｃから離座し、第２入水ポート７２と第２出水ポート７３との連通を開ける。これによりリム用の第２開閉弁５２は水をリム用導管１６を介してリム通水路１２に給水し、ボウル部１０の内壁面を洗浄する。
【００３５】
第２カム９４がリム用の第２開閉弁５２のシャフト６８を下方向に押圧しなくなり、上記リム用の第２開閉弁５２が閉弁した後、第１カム９３のカム面がジェット用の第１開閉弁５１のシャフト６８を他方向つまり矢印Ｙ２方向に押圧し、ジェット用の第１開閉弁５１を開弁させる。これにより、ジェット用の第１開閉弁５１のピストン６４がハウジング部６１の座面６１ｃから離座し、ジェット用の第１開閉弁５１の第１入水ポート６２が開口し、ジェットの第１開閉弁５１の第１入水ポート６２と第１出水ポート６３とが連通する。これにより、ジェット用の第１開閉弁５１は水をジェット用導管１７を介してジェットノズル１５に給水し、トラップ部１４に強制的にサイホン作用を生じさせる。
【００３６】
次いで、第１カム９３のカム面がジェット用の第１開閉弁５１のシャフト６８を押圧しなくなり、ジェット用の第１開閉弁５１が閉弁した後、第２カム９４がリム用の第２開閉弁５２のシャフト６８を再度押圧し、リム用の第２開閉弁５２を再度開弁させる。これにより、水をリム用導管１６を介してリム通水路１２に給水し、ボウル部１０を封水する。こうしてボウル部１０の洗浄が終了する。
【００３７】
以上説明したように、このタンクレス便器は、給水管１７０と接続される単一の入水路２５と、リム通水路１２に接続される主出水路２７と、開閉可能な副出水路３０、３８、１４２とを有する分岐給水装置２を備えている。このため、分岐給水装置２に供給された水は、主出水路２７から便器洗浄装置４を介して便器本体１のリム通水路１２に供給される。また、副出水路３０、３８、１４２は、必要がなければ閉鎖状態としておき、開放状態として人体の局部を水で洗浄可能な局部洗浄装置１００、１１０に接続可能である。
【００３８】
こうして、このタンクレス便器では、便器洗浄装置４の他に局部洗浄装置１００、１１０を搭載する場合でも、給水管１７０との間には１本のフレキシブルホース１７４が配置されるだけであり、その１本のフレキシブルホース１７４がトイレ室内に露出し、設置スペースを要さず、見栄えも向上する。
したがって、このタンクレス便器は、設置スペースの削減及び見栄えの確保に有利である。
【００３９】
また、このタンクレス便器では、分岐給水装置２の第２副出水路３８が回転可能であるため、第２副出水路３８を適宜回転させれば、第２副出水路３８を後付けの機器である局部洗浄装置１００等に容易に接続することができる。
さらに、このタンクレス便器では、分岐給水装置２における第１副出水路３０の出水ポート３０ａが備え付けの局部洗浄装置１１０と後付けされる局部洗浄装置１００とで共通しているため、汎用性が確保される。
【００４０】
なお、局部洗浄装置１００、１１０が搭載されている場合、一般的に、局部洗浄装置１００、１１０における水消費が行われた後に、便器洗浄装置４における水消費が行われる。すなわち、局部洗浄装置１００、１１０による水の消費と便器洗浄装置４による水の消費とは時間的にずれて行われる。このため、給水管１７０と分岐給水装置２とを繋ぐフレキシブルホース１７４は１本であっても、単位時間当たりの給水量を確保すべく、分岐給水装置２の入水路２５の径や接続管であるフレキシブルホース１７４の流路径を過剰に大きくせずとも良い。
【図面の簡単な説明】
【図１】実施形態に係り、タンクレス便器の要部の斜視図である。
【図２】実施形態に係り、タンクレス便器の要部の背面図である。
【図３】実施形態に係り、弁手段の断面図である。
【図４】実施形態に係り、分岐給水装置を構成する主基部から副基部を外した状態の要部の分解図である。
【図５】実施形態に係り、分岐給水装置を構成する主基部に副基部を取り付けた状態の要部の平面図である。
【図６】実施形態に係り、分岐給水装置の第２副出水路を閉鎖する栓部材の半分を断面にして示す側面図である。
【図７】実施形態に係り、分岐給水装置の第２副出水路に接続される中間接続管の半分を断面にして示す側面図である。
【図８】実施形態に係り、図５におけるＩＩＸ−ＩＩＸ線に沿った断面図である。
【図９】実施形態に係り、図５におけるＩＸ−ＩＸ線に沿った断面図である。
【図１０】実施形態に係り、後付けの局部洗浄装置と分岐給水装置とを接続している形態の要部を一部断面にして示す平面図である。
【図１１】実施形態に係り、備え付けの局部洗浄装置と分岐給水装置とを接続している形態の要部を一部断面にして示す平面図である。
【符号の説明】
１…便器本体
１７０…給水管
１２…リム通水路
４…便器洗浄装置
２５…入水路
２７…主出水路
３０…第１副出水路
３８…第２副出水路
１４２…第３副出水路
２…分岐給水装置
１００…後付けされる局部洗浄装置
１１０…備え付けの局部洗浄装置
【図１】
0003717724.tif 000002
【図２】
0003717724.tif 000003
【図３】
0003717724.tif 000004
【図４】
0003717724.tif 000005
【図５】
0003717724.tif 000006
【図６】
0003717724.tif 000007
【図７】
0003717724.tif 000008
【図８】
0003717724.tif 000009
【図９】
0003717724.tif 000010
【図１０】
0003717724.tif 000011
【図１１】
0003717724.tif 000012